(57)【要約】【課題】外部装置が接続されたときに、タッチパネルディスプレーの操作性の低下を抑制できる表示装置を提供する。【解決手段】表示装置１は、外部装置２００を接続可能である。表示装置１は、表示部５と、タッチ検出部７と、入力決定部２９とを備える。表示部５は、画像ＩＭを表示する。タッチ検出部７は、表示部５の表示面５ａに対するタッチ入力を検出する。入力決定部２９は、外部装置２００が接続された後の表示面５ａに対するタッチ入力に基づいて、表示面５ａ上の領域のうちの第１領域Ａ１に対するタッチ入力を、有効な入力として処理するか、無効な入力として処理するかを決定する。【選択図】図２
2019008627.tif 000002
【特許請求の範囲】
【請求項１】
外部装置を接続可能な表示装置であって、
画像を表示する表示部と、
前記表示部の表示面に対するタッチ入力を検出するタッチ検出部と、
前記外部装置が接続された後の前記表示面に対するタッチ入力に基づいて、前記表示面上の領域のうちの第１領域に対するタッチ入力を、有効な入力として処理するか、無効な入力として処理するかを決定する入力決定部と
を備える、表示装置。
【請求項２】
前記外部装置が接続された後において、第１ジェスチャーを示すタッチ入力が前記表示面上の前記領域のうちの第２領域で検出されたときに、前記入力決定部は、前記第１領域に対する前記タッチ入力を、有効な入力として処理することを決定し、
前記第２領域は、前記第１領域と異なり、
前記外部装置が接続された後において、第２ジェスチャーを示すタッチ入力が前記表示面上の前記領域のうちの第３領域で検出されたときに、前記入力決定部は、前記第１領域に対する前記タッチ入力を、無効な入力として処理することを決定し、
前記第２ジェスチャーは、前記第１ジェスチャーと異なる、請求項１に記載の表示装置。
【請求項３】
前記外部装置が接続されたことに応答して、前記入力決定部は、前記第１領域に対する前記タッチ入力を、無効な入力として処理することを決定する、請求項２に記載の表示装置。
【請求項４】
前記外部装置が接続されたことに応答して、前記入力決定部は、前記第１領域に対する前記タッチ入力を、有効な入力として処理することを決定する、請求項２に記載の表示装置。
【請求項５】
前記外部装置が接続される接続ポートをさらに備え、
前記第１領域は、前記表示面上の前記領域のうち、前記接続ポートに近い側と前記接続ポートから遠い側とのうち、前記近い側に偏って位置している、請求項１から請求項４のいずれか１項に記載の表示装置。
【請求項６】
前記第１領域を移動する領域制御部をさらに備える、請求項１から請求項５のいずれか１項に記載の表示装置。
【請求項７】
前記第１領域に特定画像を表示するように前記表示部を制御する表示制御部をさらに備える、請求項１から請求項６のいずれか１項に記載の表示装置。
【請求項８】
外部装置を接続可能な表示装置が実行する入力制御方法であって、
前記外部装置が接続された後に、前記表示装置の表示面に対するタッチ入力が検出されたか否かを判定するステップと、
前記表示面に対する前記タッチ入力が検出されと判定されたときに、前記タッチ入力に基づいて、前記表示面上の領域のうちの第１領域に対するタッチ入力を、有効な入力として処理するか、無効な入力として処理するかを決定するステップと
を含む、入力制御方法。
【発明の詳細な説明】
【技術分野】
【０００１】
本発明は、表示装置及び入力制御方法に関する。
【背景技術】
【０００２】
特許文献１に記載された画像表示装置は、画像を表示する表示部と、表示部の表示画面上に配置されたタッチ検出部と、外部装置（例えば、キーボード）を接続可能なＩＦ部とを備える。表示部とタッチ検出部とはタッチパネルディスプレーを構成する。
【０００３】
画像表示装置は、ＩＦ部に外部装置が接続されたことを検出すると、タッチ検出部の上にタッチ無効領域を確保する。タッチ無効領域は、外部装置を載置するための領域である。そして、タッチ無効領域では、タッチ操作が無効にされる。その結果、ユーザーは、外部装置を画像表示装置に接続し、外部装置をタッチパネルディスプレー上に置いて操作することができる。
【先行技術文献】
【特許文献】
【０００４】
【特許文献１】特開２０１５−３２２０８号公報
【発明の概要】
【発明が解決しようとする課題】
【０００５】
しかしながら、特許文献１に記載された画像表示装置では、外部装置の接続が検出されると、常にタッチ無効領域が確保される。一方、ユーザーは、外部装置を画像表示装置に接続した場合でも、外部装置をタッチパネルディスプレー上に置いて操作するとは限らない。従って、ユーザーの外部装置の使用状況によっては、タッチ無効領域は、タッチ有効領域を狭くしているだけであり、タッチパネルディスプレーの操作性を低下させる。
【０００６】
本発明は、上記課題に鑑みてなされたものであり、外部装置が接続されたときに、タッチパネルディスプレーの操作性の低下を抑制できる表示装置及び入力制御方法を提供することを目的としている。
【課題を解決するための手段】
【０００７】
本発明の一局面点によれば、表示装置は、外部装置を接続可能である。表示装置は、表示部と、タッチ検出部と、入力決定部とを備える。表示部は、画像を表示する。タッチ検出部は、前記表示部の表示面に対するタッチ入力を検出する。入力決定部は、前記外部装置が接続された後の前記表示面に対するタッチ入力に基づいて、前記表示面上の領域のうちの第１領域に対するタッチ入力を、有効な入力として処理するか、無効な入力として処理するかを決定する。
【０００８】
本発明の他の局面によれば、入力制御方法は、外部装置を接続可能な表示装置によって実行される。入力制御方法は、前記外部装置が接続された後に、前記表示装置の表示面に対するタッチ入力が検出されたか否かを判定するステップと、前記表示面に対する前記タッチ入力が検出されと判定されたときに、前記タッチ入力に基づいて、前記表示面上の領域のうちの第１領域に対するタッチ入力を、有効な入力として処理するか、無効な入力として処理するかを決定するステップとを含む。
【発明の効果】
【０００９】
本発明によれば、外部装置が接続されたときに、タッチパネルディスプレーの操作性の低下を抑制できる。
【図面の簡単な説明】
【００１０】
【図１】本発明の実施形態１に係る表示システムを示す図である。
【図２】実施形態１に表示装置を示す機能ブロック図である。
【図３】実施形態１に係る第１ジェスチャーを示す図である。
【図４】実施形態１に係る第２ジェスチャーを示す図である。
【図５】実施形態１に係る第１領域及び特定画像の移動を示す図である。
【図６】実施形態１に係る表示装置が実行する入力制御方法の一部を示すフローチャーとである。
【図７】実施形態１に係る表示装置が実行する入力制御方法の他の一部を示すフローチャーとである。
【図８】本発明の実施形態２に係る表示装置が実行する入力制御方法の一部を示すフローチャーとである。
【図９】実施形態２に係る表示装置が実行する入力制御方法の他の一部を示すフローチャーとである。
【発明を実施するための形態】
【００１１】
以下、本発明の実施形態について、図面を参照しながら説明する。なお、図中、同一または相当部分については同一の参照符号を付して説明を繰り返さない。
【００１２】
（実施形態１）
図１〜図７を参照して、本発明の実施形態１に係る表示システム１００について説明する。まず、図１を参照して、表示システム１００を説明する。図１は、表示システム１００を示す図である。図１に示すように、表示システム１００は、表示装置１と、外部装置２００とを備える。表示装置１は画像ＩＭを表示する。画像ＩＭは、例えば、ボタンａ１、ボタンａ２、ボタンａ３、及びボタンａ４を含む。表示装置１は、外部装置２００を接続可能である。外部装置２００は、表示装置１に接続可能な機器である。外部装置２００は、例えば、入力装置である。入力装置は、例えば、マウスのようなポインティングデバイス、又は、キーボードである。ただし、外部装置２００は、電子機器である限りは、入力装置に限定されない。
【００１３】
表示装置１は、タッチパネルディスプレー３と、接続ポート９（接続部）とを備える。接続ポート９に外部装置２００が接続される。タッチパネルディスプレーは、タッチ入力を検出するとともに、画像ＩＭを表示する。タッチ入力は、例えば、ユーザーの指ＦＧによるタッチ入力である。
【００１４】
タッチパネルディスプレー３は、表示部５と、タッチ検出部７とを含む。表示部５は画像ＩＭを表示する。表示部５は、例えば、液晶ディスプレー又は有機ＥＬ（Ｅｌｅｃｔｒｏ−Ｌｕｍｉｎｅｓｃｅｎｃｅ）ディスプレーである。
【００１５】
タッチ検出部７は、表示部５の表示面５ａに対するタッチ入力を検出する。具体的には、タッチ検出部７は、表示部５の表示面５ａに対するタッチ位置を検出し、タッチ位置を示すタッチ信号を出力する。タッチ位置は、例えば、ユーザーの指ＦＧによるタッチ位置である。タッチ検出部７は表示部５に設置される。タッチ検出部７は、例えば、タッチパネルである。タッチパネルは、表示部５の表示面５ａに設置されていてもよいし、オンセル型であってもよいし、インセル型であってもよい。また、タッチパネルの方式は、例えば、抵抗膜方式、又は、静電容量方式である。
【００１６】
表示装置１は、表示部５の表示面５ａが水平方向に略平行になるように設置される。ただし、表示部５の表示面５ａが水平方向に対して傾斜していてもよい。
【００１７】
表示装置１は、タッチ入力に関するノーマルモードと入力制御モードとを有する。ユーザーは、タッチパネルディスプレー３又は外部装置２００を介して、ノーマルモードと入力制御モードとを切り替える。
【００１８】
ノーマルモードは、表示部５の表示面５ａの全領域に対して、常に、タッチ有効領域が設定されるモードである。入力制御モードは、表示面５ａの一部領域に対して、タッチ無効領域を設定することの可能なモードである。
【００１９】
タッチ有効領域は、表示面５ａの領域のうちの「ある領域」に対するタッチ入力を有効な入力として処理するときの「ある領域」を示す。タッチ無効領域は、表示面５ａの領域のうちの「ある領域」に対するタッチ入力を無効な入力として処理するときの「ある領域」を示す。
【００２０】
次に、図１及び図２を参照して、表示装置１を説明する。図２は、表示装置１を示す機能ブロック図である。図２に示すように、表示装置１は、制御部２１と、記憶部２３とをさらに備える。制御部２１は、タッチパネルディスプレー３及び記憶部２３を制御する。制御部２１は、ＣＰＵ（Ｃｅｎｔｒａｌ  Ｐｒｏｃｅｓｓｉｎｇ  Ｕｎｉｔ）のようなプロセッサーを含む。記憶部２３は、各種データ及びコンピュータープログラムを記憶する。記憶部２３は、記憶装置を含む。記憶装置は、半導体メモリーのような主記憶装置、並びに、半導体メモリー及びハードディスクドライブのような補助記憶装置を含む。なお、外部装置２００は、接続ポート９を介して、制御部２１に接続される。
【００２１】
制御部２１は、表示制御部２５と、領域制御部２７と、入力決定部２９とを含む。具体的には、制御部２１のプロセッサーが、記憶部２３の記憶装置に記憶されたコンピュータープログラムを実行することにより、表示制御部２５、領域制御部２７、及び入力決定部２９として機能する。
【００２２】
次に、図１及び図２を参照して、入力制御モードでの制御部２１の処理を説明する。
【００２３】
図１及び図２に示すように、表示制御部２５は、画像ＩＭを表示するように、表示部５を制御する。領域制御部２７は、表示部５の表示面５ａに、第１領域Ａ１を設定する。第１領域Ａ１の面積は、外部装置２００の平面視での面積よりも大きい。第１領域Ａ１の形状は、例えば、外部装置２００の平面視での形状と略同一、又は、外部装置２００の平面視での形状の概観を表す形状と略同一である。第１領域Ａ１は、表示面５ａ上の領域のうち、接続ポート９に近い側と接続ポート９から遠い側とのうち、近い側に偏って位置している。従って、実施形態１によれば、ユーザーは、外部装置２００を第１領域Ａ１に載置し易い。
【００２４】
表示部５の表示面５ａは、第１領域Ａ１に加えて、第２領域Ａ２を含む。第２領域Ａ２は第１領域Ａ１と異なる。具体的には、第２領域Ａ２は、表示面５ａ上の領域のうち、第１領域Ａ１を除く領域である。第１領域Ａ１と第２領域Ａ２とは、第３領域Ａ３を構成する。
【００２５】
制御部２１は、外部装置２００が表示装置１に接続されていないときは、表示面５ａの第３領域Ａ３に対するタッチ入力を、有効な入力として処理する。つまり、第３領域Ａ３がタッチ有効領域に設定されている。
【００２６】
一方、入力決定部２９は、外部装置２００が表示装置１に接続された後の表示面５ａに対するタッチ入力に基づいて、表示面５ａ上の領域のうちの第１領域Ａ１に対するタッチ入力を、有効な入力として処理するか、無効な入力として処理するかを決定する。
【００２７】
従って、第１領域Ａ１に対するタッチ入力を無効な入力として処理することが決定された後では、ユーザーは、第１領域Ａ１に外部装置２００を載置できる。一方、第１領域Ａ１に対するタッチ入力を有効な入力として処理することが決定された後では、ユーザーは、第１領域Ａ１に対してタッチ入力を実行できる。従って、外部装置２００が接続されたときに第１領域Ａ１を常にタッチ無効領域に設定する場合と比較して、表示面５ａの全領域（具体的には第３領域Ａ３）をタッチ入力のために有効に活用できる。その結果、実施形態１によれば、外部装置２００が接続されたときに、タッチパネルディスプレー３の操作性の低下を抑制できる。
【００２８】
具体的には、入力決定部２９が第１領域Ａ１に対するタッチ入力を有効な入力として処理することを決定した後は、制御部２１は、第１領域Ａ１に対するタッチ入力を有効な入力として処理する。つまり、第１領域Ａ１がタッチ有効領域に設定される。また、外部装置２００の接続の前後に関係なく、制御部２１は、第２領域Ａ２に対するタッチ入力を有効な入力として処理する。つまり、第２領域Ａ２は、常に、タッチ有効領域に設定されている。
【００２９】
入力決定部２９が第１領域Ａ１に対するタッチ入力を有効な入力として処理することを決定した後は、ユーザーは、第２領域Ａ２に対してだけでなく、第１領域Ａ１に対してタッチ入力を実行できる。
【００３０】
一方、入力決定部２９が第１領域Ａ１に対するタッチ入力を無効な入力として処理ことを決定した後は、制御部２１は、第１領域Ａ１に対するタッチ入力を無効な入力として処理する。つまり、第１領域Ａ１がタッチ無効領域に設定される。第１領域Ａ１がタッチ無効領域に設定されたときでも、第２領域Ａ２はタッチ有効領域に設定されている。
【００３１】
入力決定部２９が第１領域Ａ１に対するタッチ入力を無効な入力として処理することを決定した後は、ユーザーは、第１領域Ａ１に外部装置２００を載置して、外部装置２００を操作できる。一方、ユーザーは、第２領域Ａ２に対してタッチ入力を実行できる。
【００３２】
実施形態１では、外部装置２００が表示装置１に接続されたことに応答して、第１領域Ａ１に対するタッチ入力を、無効な入力として処理することを決定する。従って、第１領域Ａ１がタッチ無効領域に設定される。その結果、実施形態１によれば、ユーザーは、外部装置２００を直ちに第１領域Ａ１に載置でき、ユーザーの利便性を向上できる。一方、制御部２１は、第２領域Ａ２に対するタッチ入力を、有効な入力として処理する。つまり、第２領域Ａ２はタッチ有効領域に設定されたままである。
【００３３】
第１領域Ａ１に対するタッチ入力を無効な入力として処理することが決定されたときに、表示制御部２５は、第１領域Ａ１に特定画像３１を表示するように表示部５を制御する。従って、表示部５は第１領域Ａ１に特定画像３１を表示する。その結果、実施形態１によれば、ユーザーは、外部装置２００を載置するための第１領域Ａ１を容易に認識でき、ユーザーの利便性を更に向上できる。特定画像３１は、不透明色を有していてもよいし、画像ＩＭのうち特定画像３１との重複部分が透けて見えるように、半透明色を有していてもよい。また、特定画像３１はメッセージを含んでいてもよい。さらに、特定画像３１のサイズは、例えば、第１領域Ａ１のサイズと略同一である。
【００３４】
次に、図２及び図３を参照して、第１領域Ａ１をタッチ有効領域に設定するときの処理を説明する。図３は、第１領域Ａ１をタッチ有効領域に設定するときの第１ジェスチャーＧ１を示す図である。図２及び図３に示すように、外部装置２００が接続された後において、第１ジェスチャーＧ１を示すタッチ入力が表示面５ａ上の領域のうちの第２領域Ａ２で検出されたときに、入力決定部２９は、第１領域Ａ１に対するタッチ入力を、有効な入力として処理することを決定する。従って、第１領域Ａ１がタッチ有効領域に設定される。その結果、実施形態１によれば、ユーザーは、第１ジェスチャーＧ１を示すタッチ入力を実行することにより、第１領域Ａ１をタッチ有効領域に容易に設定できる。第１ジェスチャーＧ１は、ユーザーの指ＦＧによるジェスチャーを示す。
【００３５】
第１領域Ａ１に対するタッチ入力を有効な入力として処理することが決定されたときに、表示制御部２５は、第１領域Ａ１に表示された特定画像３１を消去するように表示部５を制御する。従って、表示部５は特定画像３１を消去する。その結果、実施形態１によれば、画像ＩＭの全てが表示されるため、ユーザーの利便性を更に向上できる。特に、特定画像３１に隠れていたボタンａ３及びボタンａ４が表示されるため、ユーザーは、ボタンａ３及びボタンａ４に対するタッチ入力を実行できる。
【００３６】
なお、入力決定部２９は、タッチ検出部７の出力したタッチ信号に基づいて、タッチ入力が第１ジェスチャーＧ１を示しているか否かを判定する。
【００３７】
次に、図２及び図４を参照して、第１領域Ａ１をタッチ無効領域に設定するときの処理を説明する。図４は、第１領域Ａ１をタッチ無効領域に設定するときの第２ジェスチャーＧ２を示す図である。図２及び図４に示すように、外部装置２００が表示装置１に接続された後において、第２ジェスチャーＧ２を示すタッチ入力が表示面５ａ上の領域のうちの第３領域Ａ３で検出されたときに、入力決定部２９は、第１領域Ａ１に対するタッチ入力を、無効な入力として処理することを決定する。従って、第１領域Ａ１がタッチ無効領域に設定される。その結果、実施形態１によれば、ユーザーは、第２ジェスチャーＧ２を示すタッチ入力を実行することにより、第１領域Ａ１をタッチ無効領域に容易に設定できる。第２ジェスチャーは第１ジェスチャーと異なる。
【００３８】
第１領域Ａ１に対するタッチ入力を無効な入力として処理することが決定されたときに、表示制御部２５は、第１領域Ａ１に特定画像３１を表示するように表示部５を制御する。従って、表示部５は特定画像３１を表示する。その結果、実施形態１によれば、ユーザーは、外部装置２００を載置するための第１領域Ａ１を容易に認識できる。
【００３９】
なお、入力決定部２９は、タッチ検出部７の出力したタッチ信号に基づいて、タッチ入力が第２ジェスチャーＧ２を示しているか否かを判定する。
【００４０】
次に、図２及び図５を参照して、第１領域Ａ１を移動するときの処理を説明する。図５は、第１領域Ａ１の移動を示す図である。図２及び図５に示すように、領域制御部２７は、第１領域Ａ１を移動する。具体的には、第１領域Ａ１を移動することの指示（以下、「移動指示」と記載する。）が入力されたときに、領域制御部２７は、第１領域Ａ１を移動する。移動指示は、例えば、外部装置２００又はタッチ検出部７を介して入力される。表示制御部２５は、第１領域Ａ１の移動に合わせて特定画像３１を移動するように、表示部５を制御する。
【００４１】
実施形態１によれば、ユーザーは、所望の位置に第１領域Ａ１及び特定画像３１を移動できる。その結果、ユーザーの利便性を更に向上できる。
【００４２】
次に、図２、図６、及び図７を参照して、表示装置１によって実行される入力制御方法を説明する。図６及び図７は、入力制御方法を示すフローチャートである。図６及び図７に示すように、入力制御方法は、ステップＳ１〜ステップＳ３１を含む。以下、肯定判定は「Ｙｅｓ」判定を示し、否定判定は「Ｎｏ」判定を示す。
【００４３】
具体的には、図２及び図６に示すように、ステップＳ１において、入力決定部２９は、表示面５ａの第３領域Ａ３に対するタッチ入力を、有効な入力として処理することを決定する。
【００４４】
ステップＳ３において、入力決定部２９は、外部装置２００が表示装置１に接続されたか否かを判定する。
【００４５】
ステップＳ３で否定判定されると、処理はステップＳ３に戻る。
一方ステップＳ３で肯定判定されると、処理はステップＳ５に進む。
【００４６】
ステップＳ５において、入力決定部２９は、表示装置１のモードが入力制御モードに設定されているか否かを判定する。
【００４７】
ステップＳ５で否定判定されると、処理はステップＳ３に進む。
一方ステップＳ５で肯定判定されると、処理はステップＳ７に進む。
【００４８】
ステップＳ７において、入力決定部２９は、第１領域Ａ１に対するタッチ入力を無効な入力として処理することを決定する。
【００４９】
ステップＳ９において、表示制御部２５は、第１領域Ａ１に特定画像３１を表示するように表示部５を制御する。
【００５０】
ステップＳ１１において、入力決定部２９は、外部装置２００が表示装置１から外されたか否かを判定する。
【００５１】
ステップＳ１１で肯定判定されると、処理はステップＳ１に進む。
一方ステップＳ１１で否定判定されると、処理はステップＳ１３に進む。
【００５２】
ステップＳ１３において、領域制御部２７は、第１領域Ａ１の移動指示が入力されたか否かを判定する。
【００５３】
ステップＳ１３で否定判定されると、処理は図７のステップＳ１９に進む。
一方ステップＳ１３で肯定判定されると、処理はステップＳ１５に進む。
【００５４】
ステップＳ１５において、領域制御部２７は、移動指示に応じて、第１領域Ａ１を移動する。
【００５５】
ステップＳ１７において、表示制御部２５は、移動指示に応じて、特定画像３１を移動する。その結果、特定画像３１は、第１領域Ａ１とともに移動する。そして、処理は図７のステップＳ１９に進む。
【００５６】
図２及び図７に示すように、ステップＳ１９において、入力決定部２９は、第１ジェスチャーを示すタッチ入力が第２領域Ａ２で検出されたか否かを判定する。
【００５７】
ステップＳ１９で否定判定されると、処理は図６のステップＳ１１に進む。
一方ステップＳ１９で肯定判定されると、処理はステップＳ２１に進む。
【００５８】
ステップＳ２１において、入力決定部２９は、第１領域Ａ１に対するタッチ入力を有効な入力として処理することを決定する。
【００５９】
ステップＳ２３において、表示制御部２５は、特定画像３１を消去するように表示部５を制御する。
【００６０】
ステップＳ２５において、入力決定部２９は、外部装置２００が表示装置１から外されたか否かを判定する。
【００６１】
ステップＳ２５で肯定判定されると、処理は図６のステップＳ１に進む。
一方ステップＳ２５で否定判定されると、処理はステップＳ２７に進む。
【００６２】
ステップＳ２７において、入力決定部２９は、第２ジェスチャーを示すタッチ入力が第３領域Ａ３で検出されたか否かを判定する。
【００６３】
ステップＳ２７で否定判定されると、処理はステップＳ２５に進む。
一方、ステップＳ２７で肯定判定されると、処理はステップＳ２９に進む。
【００６４】
ステップＳ２９において、入力決定部２９は、第１領域Ａ１に対するタッチ入力を無効な入力として処理することを決定する。
【００６５】
ステップＳ３１において、表示制御部２５は、第１領域Ａ１に特定画像３１を表示するように表示部５を制御する。そして、処理は図６のステップＳ１１に進む。
【００６６】
なお、図７のステップＳ１９及びステップＳ２７が、「外部装置２００が接続された後に、表示装置１の表示面５ａに対するタッチ入力が検出されたか否かを判定するステップ」に相当する。また、ステップＳ２１及びステップＳ２９が、「表示面５ａに対するタッチ入力が検出されと判定されたときに、タッチ入力に基づいて、表示面５ａ上の領域のうちの第１領域Ａ１に対するタッチ入力を、有効な入力として処理するか、無効な入力として処理するかを決定するステップ」に相当する。
【００６７】
（実施形態２）
図１、図２、図８、及び図９を参照して、本発明の実施形態２に係る表示システム１００について説明する。実施形態２が、外部装置２００の接続に応答して第１領域Ａ１をタッチ有効領域に設定する点で、実施形態２は実施形態１と異なる。実施形態２に係る表示システム１００の構成は、実施形態１に係る表示システム１００の構成と同様である。従って、実施形態２の説明において、図１及び図２を適宜参照する。以下、実施形態２が実施形態１と主に異なる点を説明する。また、入力制御モードでの各構成の処理を説明する。
【００６８】
図１及び図２に示すように、入力決定部２９は、外部装置２００が表示装置１に接続されたことに応答して、第１領域Ａ１に対するタッチ入力を、有効な入力として処理することを決定する。従って、外部装置２００が接続された後において、第２ジェスチャーＧ２（図４）を示すタッチ入力が第３領域Ａ３で検出されるまでは、第１領域Ａ１に対するタッチ入力は、有効な入力として処理される。その結果、実施形態２によれば、ユーザーは、外部装置２００を接続した場合に、表示面５ａの全領域（具体的には第３領域Ａ３）に対するタッチ入力を直ちに実行できる。特に、外部装置２００の接続時に、ユーザーが外部装置２００を第１領域Ａ１に載置する予定のないときに、ユーザーにとって便宜である。なお、制御部２１は、第２ジェスチャーＧ２を示すタッチ入力に関係なく、外部装置２００が接続された後において、第２領域Ａ２に対するタッチ入力を、有効な入力として処理する。
【００６９】
そして、入力決定部２９は、外部装置２００が接続された後において、第２ジェスチャーＧ２を示すタッチ入力が第３領域Ａ３で検出されたときに、第１領域Ａ１に対するタッチ入力を、無効な入力として処理することを決定する。従って、実施形態２によれば、ユーザーが外部装置２００を第１領域Ａ１に載置することを希望するときに、第２ジェスチャーＧ２を示すタッチ入力を実行することにより、容易に第１領域Ａ１をタッチ無効領域に設定できる。
【００７０】
次に、図２、図８、及び図９を参照して、表示装置１によって実行される入力制御方法を説明する。図８及び図９は、入力制御方法を示すフローチャートである。図８及び図９に示すように、入力制御方法は、ステップＳ５１〜ステップＳ７９を含む。以下、肯定判定は「Ｙｅｓ」判定を示し、否定判定は「Ｎｏ」判定を示す。
【００７１】
具体的には、図２及び図８に示すように、ステップＳ５１において、入力決定部２９は、表示面５ａの第３領域Ａ３に対するタッチ入力を、有効な入力として処理することを決定する。
【００７２】
ステップＳ５３において、入力決定部２９は、外部装置２００が表示装置１に接続されたか否かを判定する。
【００７３】
ステップＳ５３で否定判定されると、処理はステップＳ５３に戻る。
一方ステップＳ５３で肯定判定されると、処理はステップＳ５５に進む。
【００７４】
ステップＳ５５において、入力決定部２９は、表示装置１のモードが入力制御モードに設定されているか否かを判定する。
【００７５】
ステップＳ５５で否定判定されると、処理はステップＳ５３に進む。
一方ステップＳ５５で肯定判定されると、処理はステップＳ５７に進む。
【００７６】
ステップＳ５７において、入力決定部２９は、第１領域Ａ１に対するタッチ入力を有効な入力として処理することを決定する。
【００７７】
ステップＳ５９において、入力決定部２９は、外部装置２００が表示装置１から外されたか否かを判定する。
【００７８】
ステップＳ５９で肯定判定されると、処理はステップＳ５１に進む。
一方ステップＳ５９で否定判定されると、処理はステップＳ６１に進む。
【００７９】
ステップＳ６１において、入力決定部２９は、第２ジェスチャーを示すタッチ入力が第３領域Ａ３で検出されたか否かを判定する。
【００８０】
ステップＳ６１で否定判定されると、処理はステップＳ５９に進む。
一方、ステップＳ６１で肯定判定されると、処理はステップＳ６３に進む。
【００８１】
ステップＳ６３において、入力決定部２９は、第１領域Ａ１に対するタッチ入力を無効な入力として処理することを決定する。
【００８２】
ステップＳ６５において、表示制御部２５は、第１領域Ａ１に特定画像３１を表示するように表示部５を制御する。そして、処理は図９のステップＳ６７に進む。
【００８３】
図２及び図９に示すように、ステップＳ６７において、入力決定部２９は、外部装置２００が表示装置１から外されたか否かを判定する。
【００８４】
ステップＳ６７で肯定判定されると、処理は図８のステップＳ５１に進む。
一方、ステップＳ６７で否定判定されると、処理はステップＳ６９に進む。
【００８５】
ステップＳ６９において、領域制御部２７は、第１領域Ａ１の移動指示が入力されたか否かを判定する。
【００８６】
ステップＳ６９で否定判定されると、処理はステップＳ７５に進む。
一方ステップＳ６９で肯定判定されると、処理はステップＳ７１に進む。
【００８７】
ステップＳ７１において、領域制御部２７は、移動指示に応じて、第１領域Ａ１を移動する。
【００８８】
ステップＳ７３において、表示制御部２５は、移動指示に応じて、特定画像３１を移動する。その結果、特定画像３１は、第１領域Ａ１とともに移動する。
【００８９】
ステップＳ７５において、入力決定部２９は、第１ジェスチャーを示すタッチ入力が第２領域Ａ２で検出されたか否かを判定する。
【００９０】
ステップＳ７５で否定判定されると、処理はステップＳ６７に進む。
一方ステップＳ７５で肯定判定されると、処理はステップＳ７７に進む。
【００９１】
ステップＳ７７において、入力決定部２９は、第１領域Ａ１に対するタッチ入力を有効な入力として処理することを決定する。
【００９２】
ステップＳ７９において、表示制御部２５は、特定画像３１を消去するように表示部５を制御する。そして、処理は図８のステップＳ５９に進む。
【００９３】
なお、図８のステップＳ６１及び図９のステップＳ７５が、「外部装置２００が接続された後に、表示装置１の表示面５ａに対するタッチ入力が検出されたか否かを判定するステップ」に相当する。また、ステップＳ６３及びステップＳ７７が、「表示面５ａに対するタッチ入力が検出されと判定されたときに、タッチ入力に基づいて、表示面５ａ上の領域のうちの第１領域Ａ１に対するタッチ入力を、有効な入力として処理するか、無効な入力として処理するかを決定するステップ」に相当する。
【００９４】
以上、図面を参照しながら本発明の実施形態について説明した。但し、本発明は、上記の実施形態に限られるものではなく、その要旨を逸脱しない範囲で種々の態様において実施することが可能である（例えば、下記（１）、（２））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００９５】
（１）実施形態１及び実施形態２において、複数の外部装置２００を表示装置１に接続してもよい。そして、領域制御部２７は、外部装置２００ごとに、表示面５ａに対して第１領域Ａ１を設定してもよい。従って、表示面５ａに対して複数の第１領域Ａ１が設定される。
【００９６】
（２）実施形態１及び実施形態２において、外部装置２００と表示装置１とは、無線接続されてもよいし、有線接続されてもよい。
【００９７】
（３）実施形態１及び実施形態２において、第１ジェスチャーＧ１及び第２ジェスチャーＧ２の各々は、タッチ位置の移動軌跡（例えば、図形）で表されてもよいし、タッチ位置の出現（例えば、タップ）によって表されてもよい。タップの回数は、単数でもよいし、複数でもよい。
【産業上の利用可能性】
【００９８】
本発明は、表示装置及び入力制御方法に関するものであり、産業上の利用可能性を有する。
【符号の説明】
【００９９】
１    表示装置
５    表示部
７    タッチ検出部
９    接続ポート（接続部）
２５    表示制御部
２７    領域制御部
２９    入力決定部
２００    外部装置
【図１】
2019008627.tif 000003
【図２】
2019008627.tif 000004
【図３】
2019008627.tif 000005
【図４】
2019008627.tif 000006
【図５】
2019008627.tif 000007
【図６】
2019008627.tif 000008
【図７】
2019008627.tif 000009
【図８】
2019008627.tif 000010
【図９】
2019008627.tif 000011